(57)【特許請求の範囲】
【請求項１】
圧縮機(１),室外熱交換器(３),第１減圧器(４),第１室内熱交換器(５),第２減圧器(６)および第２室内熱交換器(７)とを環状に接続して構成された冷媒回路と、空調運転と冷房サイクルによるドライ運転とを切り換える運転モード切換部(１０a)とを備えた空気調和機であって、
上記運転モード切換部(１０a)は、ドライ運転が設定されている運転モードにおいて、冷房運転と暖房運転とドライ運転を切り換えて、室内温度が目標設定温度に基づく室内温度ゾーン内になるようにすると共に、
上記ドライ運転が設定されているモードにおいて、冷房運転からドライ運転に切り換える場合、上記目標設定温度よりも上記室内温度が所定温度低くなると、上記運転モード切換部(１０a)に対してドライ運転を許可する第１許可部(１０b)と、暖房運転からドライ運転に切り換える場合、上記目標設定温度よりも上記室内温度が所定温度高くなると、上記運転モード切換部(１０a)に対してドライ運転を許可する第２許可部(１０c)のうちの少なくとも一方を備えたことを特徴とする空気調和機。
【請求項２】
圧縮機(１),室外熱交換器(３),第１減圧器(４),第１室内熱交換器(５),第２減圧器(６)および第２室内熱交換器(７)とを環状に接続して構成された冷媒回路を備え、空調運転と冷房サイクルによるドライ運転とを行う空気調和機であって、
ドライ運転が設定されている運転モードにおいて、上記空調運転の冷房運転または暖房運転と上記ドライ運転を切り換えて、室内温度が目標設定温度に基づく室内温度ゾーン内になるようにすると共に、
空調負荷が所定値よりも大きい空調運転においてドライ運転の指令があると、その指令から所定時間経過した後に、空調運転からドライ運転に切り換える一方、空調負荷が上記所定値よりも小さい空調運転においてドライ運転の指令があると、すぐに空調運転からドライ運転に切り換える運転モード切換部(２０a)を備えたことを特徴とする空気調和機。
【請求項３】
請求項２に記載の空気調和機において、
外気温度に基づいて上記所定時間を算出する時間算出部(２０b)を備えたことを特徴とする空気調和機。
【発明の詳細な説明】
【０００１】
【発明の属する技術分野】
この発明は、空調運転と冷房サイクルによるドライ運転とを行う空気調和機に関する。
【０００２】
【従来の技術】
従来、空気調和機としては、圧縮機,四路弁,室外熱交換器,第１減圧器,第１室内熱交換器,第２減圧器,室内熱交換器を環状に接続して構成された冷媒回路を備え、冷房サイクルで再熱ドライ運転を行うものがある。上記構成の空気調和機では、圧縮機から吐出された高圧冷媒は、室外熱交換器,全開状態の第１減圧器,第１室内熱交換器,減圧状態の第２減圧器,第２室内熱交換器を循環して、冷媒が凝縮される第１室内熱交換器で室内空気を加熱する一方、冷媒が蒸発する第２室内熱交換器で室内空気を除湿,冷却することによって、室内温度を下げることなく除湿を行う。
【０００３】
【発明が解決しようとする課題】
ところで、上記空気調和機では、再熱ドライ運転の場合、冷房運転または暖房運転で室内温度を目標設定温度に近づけてから、再熱ドライ運転に切り換える制御方法が考えられるが、真夏や真冬の空調負荷が大きい時期は、再熱ドライ運転だけでは室内温度を目標設定温度に保つことが困難なため、再熱ドライ運転と冷房運転との間または再熱ドライ運転と暖房運転との間で運転モードが煩雑に切り換わり、快適性が損なわれるという欠点がある。
【０００４】
そこで、この発明の目的は、ドライ運転時に運転モードが煩雑に切り換わるのを防ぎ、快適性を向上できる空気調和機を提供することにある。
【０００５】
【課題を解決するための手段】
上記目的を達成するため、請求項１の空気調和機は、
圧縮機,室外熱交換器,第１減圧器,第１室内熱交換器,第２減圧器および第２室内熱交換器とを環状に接続して構成された冷媒回路と、空調運転と冷房サイクルによるドライ運転とを切り換える運転モード切換部とを備えた空気調和機であって、
上記運転モード切換部は、ドライ運転が設定されている運転モードにおいて、冷房運転と暖房運転とドライ運転を切り換えて、室内温度が目標設定温度に基づく室内温度ゾーン内になるようにすると共に、
上記ドライ運転が設定されているモードにおいて、冷房運転からドライ運転に切り換える場合、上記目標設定温度よりも上記室内温度が所定温度低くなると、上記運転モード切換部に対してドライ運転を許可する第１許可部と、暖房運転からドライ運転に切り換える場合、上記目標設定温度よりも上記室内温度が所定温度高くなると、上記運転モード切換部に対してドライ運転を許可する第２許可部のうちの少なくとも一方を備えたことを特徴としている。
【０００６】
上記請求項１の空気調和機によれば、冷房運転時、第１減圧器を絞る一方、第２減圧器を全開にし、上記圧縮機から吐出された高圧冷媒は、室外熱交換器で凝縮して、第１減圧器で減圧された後、第１,第２室内熱交換器で蒸発して、第１,第２室内熱交換器で室内空気を冷やす。そして、冷房運転からドライ運転に切り換える場合、冷房運転で目標設定温度よりも室内温度が所定温度低くなるまで室内空気を十分に冷やしてから上記第１許可部により上記運転モード切換部に対してドライ運転を許可する。そうして、冷房運転からドライ運転に切り換え、第１減圧器を全開にする一方、第２減圧器を絞り、圧縮機から吐出された高圧冷媒は、室外熱交換器,第１減圧器を通って第１室内熱交換器で凝縮して、凝縮した冷媒は、第２減圧器で減圧された後、第２室内熱交換器で蒸発して、第１室内熱交換器で室内空気を暖めると共に、第２室内熱交換器で室内空気の除湿と冷却を行う。また、暖房運転からドライ運転に切り換える場合、暖房運転で目標設定温度よりも室内温度を所定温度高くなるまで室内空気を十分に暖めてから上記第２許可部により運転モード切換部に対してドライ運転を許可して、暖房運転からドライ運転に切り換える。このように、冷房(または暖房)運転によって室内空気を十分に冷やす(または暖める)ことによって、ドライ運転に切り換わってもすぐに冷房(または暖房)運転に切り換わらない。したがって、ドライ運転と冷房運転との間またはドライ運転と暖房運転との間で運転モードが煩雑に切り換わるのを防いで、快適性を向上できる。なお、この発明の空気調和機は、第１許可部と第２許可部のうちのいずれか一方のみを備えたものでもよい。
【０００７】
また、請求項２の空気調和機は、
圧縮機,室外熱交換器,第１減圧器,第１室内熱交換器,第２減圧器および第２室内熱交換器とを環状に接続して構成された冷媒回路を備え、空調運転と冷房サイクルによるドライ運転とを行う空気調和機であって、
ドライ運転が設定されている運転モードにおいて、上記空調運転の冷房運転または暖房運転と上記ドライ運転を切り換えて、室内温度が目標設定温度に基づく室内温度ゾーン内になるようにすると共に、
空調負荷が所定値よりも大きい空調運転においてドライ運転の指令があると、その指令から所定時間経過した後に、空調運転からドライ運転に切り換える一方、空調負荷が上記所定値よりも小さい空調運転においてドライ運転の指令があると、すぐに空調運転からドライ運転に切り換える運転モード切換部を備えたことを特徴としている。
【０００８】
上記請求項２の空気調和機によれば、冷房(または暖房)運転時、空調負荷が所定値よりも大きいと、ドライ運転の指令があってもすぐに切り換えず、その指令から所定時間経過した後、すなわち、冷房運転で室内空気を十分に冷やしてから上記運転モード切換部はドライ運転に切り換える。一方、空調負荷が所定値よりも小さいと、運転モード切換部はドライ運転の指令ですぐに冷房(または暖房)運転からドライ運転に切り換える。このように、冷房(または暖房)運転において空調負荷が所定値よりも大きいときは室内空気を十分に冷やして(または暖めて)からドライ運転に切り換えることによって、ドライ運転に切り換わっても、すぐに冷房(または暖房)運転に切り換わらない。したがって、ドライ運転と冷房運転との間またはドライ運転と暖房運転との間で運転モードが煩雑に切り換わるのを防いで、快適性を向上できる。なお、この発明の空気調和機は、冷房運転または暖房運転のうちのいずれか一方のみを行うものでもよい。
【０００９】
また、請求項３の空気調和機は、請求項２の空気調和機において、外気温度に基づいて上記所定時間を算出する時間算出部を備えたことを特徴としている。
【００１０】
上記請求項３の空気調和機によれば、冷房運転からドライ運転に切り換える場合、外気温度が高いほど空調負荷が大きくなるので、外気温度が高いほど上記時間算出部により算出される所定時間を長くして、ドライ運転に切り換えるまでの冷房運転の時間を長くする一方、暖房運転からドライ運転に切り換える場合、外気温度が低いほど空調負荷が大きくなるので、外気温度が低いほど上記所定時間を長くして、ドライ運転に切り換えるまでの暖房運転の時間を長くする。このようにして、空調運転からドライ運転に切り換えるときに、空調負荷の大小に応じた最適な所定時間で空調運転を遅延させた後、ドライ運転に切り換えることができる。
【００１１】
【発明の実施の形態】
以下、この発明の空気調和機を図示の実施の形態により詳細に説明する。
【００１２】
（第１実施形態）
図１はこの発明の第１実施形態の空気調和機の回路図を示しており、１は圧縮機、２は上記圧縮機１の吐出側に一端が接続された四路弁、３は上記四路弁２の他端に一端が接続された室外熱交換器、４は上記室外熱交換器３の他端に一端が接続された第１減圧器としての電動膨張弁、５は上記電動膨張弁４の他端に一端が接続された第１室内熱交換器、６は上記第１室内熱交換器５の他端に一端が接続された第２減圧器としての室内用電動膨張弁、７は上記室内用電動膨張弁６の他端に一端が接続された室内熱交換器、８は上記室内熱交換器７の他端に四路弁２を介して一端が接続され、他端が圧縮機１の吸入側に接続されたアキュムレータである。上記圧縮機１,四路弁２,室外熱交換器３,電動膨張弁４,第１室内熱交換器５,室内用電動膨張弁６,室内熱交換器７およびアキュムレータ８で冷媒回路を構成している。また、上記空気調和機は、圧縮機１,四路弁２等を制御する制御装置１０を備えている。上記制御装置１０は、入出力回路やマイクロコンピュータ等からなり、運転モードを切り換える運転モード切換部１０aと、上記運転モード切換部１０aに対して冷房運転からドライ運転への切り換えを許可する第１許可部１０bと、上記運転モード切換部１０aに対して暖房運転からドライ運転への切り換えを許可する第２許可部１０cとを有している。
【００１３】
上記構成の空気調和機において、冷房運転では、四路弁２を実線の切換位置に切り換えて、電動膨張弁４を所定開度に絞り、室内用電動膨張弁６を全開にして、圧縮機１を起動する。そして、上記圧縮機１から吐出された高圧冷媒は、室外熱交換器３で凝縮した後、電動膨張弁４で減圧し、次に、減圧された低圧冷媒は、第１室内熱交換器５,第２室内熱交換器７で蒸発した後、四路弁２,アキュムレータ８を介して圧縮機１の吐出側に戻る。
【００１４】
また、暖房運転では、四路弁２を点線の切換位置に切り換えて、電動膨張弁４を所定開度に絞り、室内用電動膨張弁６を全開にして、圧縮機１を起動する。そして、上記圧縮機１から吐出された高圧冷媒は、第１室内熱交換器５,第２室内熱交換器７で凝縮した後、電動膨張弁４で減圧し、次に、減圧された低圧冷媒は、室外熱交換器３で蒸発した後、四路弁２,アキュムレータ８を介して圧縮機１の吐出側に戻る。
【００１５】
一方、冷房サイクルによる再熱ドライ運転では、四路弁２を実線の切換位置に切り換えて、電動膨張弁４を全開にし、室内用電動膨張弁６を絞り、圧縮機１を起動する。そして、上記圧縮機１から吐出された高圧冷媒は、室外熱交換器３と全開状態の電動膨張弁４とを介して第１室内熱交換器５に流れ、第１室内熱交換器５で凝縮した後、室内用電動膨張弁６で減圧し、次に、減圧された低圧冷媒は、第２室内熱交換器７で蒸発した後、四路弁２,アキュムレータ８を介して圧縮機１の吐出側に戻る。そうして、冷媒が凝縮される第１室内熱交換器で室内空気を加熱する一方、冷媒が蒸発する第２室内熱交換器で室内空気を除湿,冷却することによって、室内温度を下げることなく除湿を行う。
【００１６】
図２は上記空気調和機の制御装置１０の運転モードの切換制御の処理を説明するフローチャートである。
【００１７】
図２において、ステップＳ１でリモートコントローラ(以下、リモコンという)設定の運転モードがドライか否かを判別して、リモコン設定の運転モードがドライであると判別すると、ステップＳ２に進む一方、リモコン設定の運転モードがドライでないと判別すると、ステップＳ１を繰り返す。
【００１８】
次に、ステップＳ２で室内温度ゾーンがＢか否かを判別して、室内温度ゾーンがＢであると判別すると、ステップＳ３に進み、運転モードを再熱ドライに決定し、運転モード切換部１０aに対して第１許可部１０b(または第２許可部１０c)冷房運転からドライ運転への切り換えを許可した後、ステップＳ１に戻る。
【００１９】
一方、ステップＳ２で室内温度ゾーンがＢでないと判別すると、ステップＳ４に進み、室内温度ゾーンがＡか否を判別する。そして、ステップＳ４で室内温度ゾーンがＡであると判別すると、ステップＳ５に進み、運転モードを冷房に決定する。一方、ステップＳ４で室内温度ゾーンがＡでないと判別すると、すなわち、室内温度ゾーンがＣであると判別すると、運転モードを暖房に決定する。
【００２０】
上記室内温度ゾーンＡ,Ｂ,Ｃは、図３に示すように、室内温度上昇時と室内温度下降時で異なる。つまり、室内温度上昇時は、室内温度と目標設定温度との温度差△Ｄ(＝室内温度−目標設定温度)がｄ３以下では室内温度ゾーンＣ(暖房)、△Ｄがｄ３〜ｄ１では室内温度ゾーンＢ(再熱ドライ)、△Ｄがｄ１以上では室内温度ゾーンＡ(冷房)とする一方、室内温度下降時は、△Ｄがｄ２以上では室内温度ゾーンＡ(冷房)、△Ｄがｄ４〜ｄ２では室内温度ゾーンＢ(再熱ドライ)、△Ｄがｄ３以下では室内温度ゾーンＣ(暖房)とするのである(ただし、ｄ１＞ｄ２＞ｄ３＞ｄ４)。
【００２１】
また、図４は上記空気調和機の外気温度ゾーンの決定方法を説明する図である。図４に示すように、外気温度上昇時は、外気温度がｔ3以下では外気温度ゾーンＺ(冬期)、外気温度がｔ3〜ｔ1では外気温度ゾーンＹ(中間期)、外気温度がｔ1以上では外気温度ゾーンＸ(夏期)とする一方、外気温度下降時は、外気温度がｔ2以上では外気温度ゾーンＸ(夏期)、外気温度がｔ2〜ｔ3では外気温度ゾーンＹ(中間期)、外気温度がｔ４以下では外気温度ゾーンＺ(冬期)とする。なお、上記外気温度ゾーンを決定する外気温度ｔ1〜ｔ4は、例えばｔ1を２５℃、ｔ2を２４℃、ｔ3を１５℃、ｔ4を１４℃とする。
【００２２】
図５は外気温度ゾーンＸ(夏期),Ｙ(中間期),Ｚ(冬期)における室内温度ゾーンＡ(冷房),Ｂ(再熱ドライ),Ｃ(暖房)の決定方法の一例を示している。
【００２３】
[外気温度ゾーンＸ(夏期)]
図５に示すように、室内温度上昇時、温度差△Ｄ(＝室内温度−目標設定温度)が−１℃以下では室内温度ゾーンＣ(暖房)、△Ｄが−１〜＋２℃では室内温度ゾーンＢ(再熱ドライ)、△Ｄが＋２℃以上では室内温度ゾーンＡ(冷房)とする一方、室内温度下降時、△Ｄが−１℃以上では室内温度ゾーンＡ(冷房)、△Ｄが−１〜−２℃では室内温度ゾーンＢ(再熱ドライ)、△Ｄが−２℃以下では室内温度ゾーンＣ(暖房)である。
【００２４】
[外気温度ゾーンＹ(中間期)]
室内温度上昇時、温度差△Ｄ(＝室内温度−目標設定温度)が−１℃以下では室内温度ゾーンＣ(暖房)、△Ｄが−１〜＋２℃では室内温度ゾーンＢ(再熱ドライ)、△Ｄが＋２℃以上では室内温度ゾーンＡ(冷房)とする一方、室内温度下降時、△Ｄが＋１℃以上では室内温度ゾーンＡ(冷房)、△Ｄが＋１〜−２℃では室内温度ゾーンＢ(再熱ドライ)、△Ｄが−２℃以下では室内温度ゾーンＣ(暖房)である。
【００２５】
[外気温度ゾーンＺ(冬期)]
室内温度上昇時、温度差△Ｄ(＝室内温度−目標設定温度)が＋１℃以下では室内温度ゾーンＣ(暖房)、△Ｄが＋１〜＋２℃では室内温度ゾーンＢ(再熱ドライ)、△Ｄが＋２℃以上では室内温度ゾーンＡ(冷房)とする一方、室内温度下降時、△Ｄが＋１℃以上では室内温度ゾーンＡ(冷房)、△Ｄが＋１〜−２℃では室内温度ゾーンＢ(再熱ドライ)、△Ｄが−２℃以下では室内温度ゾーンＣ(暖房)である。
【００２６】
このように、外気温度ゾーンＹ(中間期)に対して外気温度ゾーンＸ(夏期)では、室内温度下降時に室内温度ゾーンＡ(冷房)から室内温度ゾーンＢ(再熱ドライ)に切り換わるときの温度が−１℃と低くなっており、冷房運転から再熱ドライ運転に切り換わるときに冷房運転により室内空気を十分に冷やしている。また、外気温度ゾーンＹ(中間期)に対して外気温度ゾーンＺ(冬期)では、室内温度上昇時に室内温度ゾーンＣ(暖房)から室内温度ゾーンＢ(再熱ドライ)に切り換わるときの温度が＋１℃と高くなっており、暖房運転から再熱ドライ運転に切り換わるときに暖房運転により室内空気を十分に暖めている。したがって、再熱ドライ運転に切り換わっても、すぐには冷房(または暖房)運転に切り換わらないので、再熱ドライ運転と冷房(または暖房)運転との間で運転モードが煩雑に切り換わるのを防いで、快適性を向上できる。
【００２７】
（第２実施形態）
図６はこの発明の第２実施形態の空気調和機の回路図を示しており、この空気調和機は、外気温度センサおよび制御装置を除いて第１実施形態の空気調和機と同一の構成をしており、同一構成部は同一参照番号を付して説明を省略する。
【００２８】
上記空気調和機は、外気温度を検出する外気温度センサ２１と、入出力回路とマイクロコンピュータ等からなる制御装置２０とを備えている。上記制御装置２０は、運転モード切換部２０aと、時間を算出する時間算出部２０bと、空調運転から再熱ドライ運転への切り換えを遅延するためのタイマ２０cとを備えている。
【００２９】
図７は上記空気調和機の制御装置２０の動作を説明するフローチャートを示している。以下、図７に従って上記制御装置２０の運転モードの切換制御の処理について説明する。
【００３０】
まず、ステップＳ１１で室内温度ゾーンＡ→Ｂの変化があったか否かを判別して、室内温度ゾーンＡ→Ｂの変化が有ると判別すると、ステップＳ１２に進む。一方、ステップＳ１１で室内温度ゾーンＡ→Ｂの変化がないと判別すると、ステップＳ２１に進み、室内温度ゾーンＣ→Ｂの変化が有るか否かを判別する。そして、ステップＳ２１で室内温度ゾーンＣ→Ｂの変化が有ると判別すると、ステップＳ１２に進む一方、室内温度ゾーンＣ→Ｂの変化がないと判別すると、ステップＳ１１に戻る。
【００３１】
次に、ステップＳ１２で外気温度センサ２１により外気温度を入力する。
【００３２】
次に、ステップＳ１３に進み、外気温度ゾーンがＸ(夏期)か否かを判別して、外気温度ゾーンがＸであると判別すると、ステップＳ１４に進み、タイマ値にｔxをセットして、タイマ２０cをスタートする。この外気温度ゾーンＸ(夏期)のタイマ値ｔxは、図８に示すように、所定温度ｔ２から外気温度が上がるに従って大きくなるように、
タイマ値  ＝  Ａ×外気温度＋Ｂ      (但し、Ａ,Ｂは定数)
により設定され、所定の外気温度以上で最大値となる。
【００３３】
次に、ステップＳ１５に進み、タイマ２０cがオーバーしたか否かを判別して、タイマ２０cがオーバーしたと判別すると、ステップＳ１６に進む一方、タイマ２０cがオーバーしていないと判別すると、ステップＳ１５を繰り返す。そして、ステップＳ１６で運転モードを冷房から再熱ドライに変更して、ステップＳ１１に戻る。
【００３４】
また、ステップＳ１３で外気温度ゾーンがＸでないと判別すると、ステップＳ２２に進み、外気温度ゾーンがＹ(中間期)か否かを判別する。そして、ステップＳ２２で外気温度ゾーンがＹであると判別すると、ステップＳ２３に進み、運転モードを変更して、ステップＳ１１に戻る。
【００３５】
一方、ステップＳ２２で外気温度ゾーンがＹでないと判別すると、すなわち、外気温度ゾーンがＺ(冬期)であると判別すると、ステップＳ２４に進み、タイマ２０cにｔzをセットしてスタートする。この外気温度ゾーンＺ(冬期)のタイマ値ｔxは、図８に示すように、所定温度ｔ１から外気温度が下がるに従って大きくなるように、
タイマ値  ＝  Ｃ×外気温度＋Ｄ      (但し、Ｃ,Ｄは定数)
により設定され、所定の外気温度以下で最大値となる。
【００３６】
次に、ステップＳ２５でタイマ２０cがオーバーしたか否かを判別して、タイマ２０cがオーバーしたと判別すると、ステップＳ２６に進む一方、タイマ２０cがオーバーしていないと判別すると、ステップＳ２５を繰り返す。そして、ステップＳ２６で運転モードを暖房から再熱ドライに変更して、ステップＳ１１に戻る。
【００３７】
このように、冷房運転において、空調負荷が所定値よりも大きいとき、すなわち、外気温度が所定温度ｔ２よりも高いとき、再熱ドライ運転への切り換えを所定時間遅らせて、冷房運転により室内空気を十分に冷やしてからドライ運転に切り換える。一方、暖房運転において、空調負荷が所定値よりも大きいとき、すなわち、外気温度が所定温度ｔ１よりも低いとき、再熱ドライ運転への切り換えを所定時間遅らせて、暖房運転により室内空気を十分に暖めてからドライ運転に切り換える。そうすることによって、ドライ運転に切り換わっても、すぐに冷房(または暖房)運転に切り換わらないようにする。したがって、再熱ドライ運転と冷房運転との間または再熱ドライ運転と暖房運転との間で運転モードが煩雑に切り換わるのを防いで、快適性を向上できる。
【００３８】
また、冷房運転からドライ運転に切り換える場合、外気温度が高いほど時間算出部２０bにより算出される所定時間を長くして、ドライ運転に切り換えるまでの冷房運転の時間を長くする一方、暖房運転からドライ運転に切り換える場合、外気温度が低いほど所定時間を長くして、ドライ運転に切り換えるまでの暖房運転の時間を長くすることによって、空調負荷の大小に応じた最適な所定時間で冷房(または暖房)運転を遅延させた後、ドライ運転に切り換えできる。したがって、空調負荷に応じたきめ細かい制御ができ、快適性をさらに向上できる。
【００３９】
上記実施の形態では、冷房運転,暖房運転および再熱ドライ運転を行う空気調和機について説明したが、冷房運転または暖房運転のいずれか一方と再熱ドライ運転を行う空気調和機にこの発明を適用してもよい。
【００４０】
【発明の効果】
以上より明らかなように、請求項１の発明の空気調和機は、圧縮機,室外熱交換器,第１減圧器,第１室内熱交換器,第２減圧器および第２室内熱交換器とを環状に接続して構成された冷媒回路と、空調運転と冷房サイクルによるドライ運転とを切り換える運転モード切換部とを備え、上記運転モード切換部は、ドライ運転が設定されている運転モードにおいて、冷房運転と暖房運転とドライ運転を切り換えて、室内温度が目標設定温度に基づく室内温度ゾーン内になるようにすると共に、ドライ運転が設定されているモードにおいて、冷房運転からドライ運転に切り換える場合、目標設定温度よりも室内温度が所定温度低くなると、上記運転モード切換部に対してドライ運転を許可する第１許可部と、暖房運転からドライ運転に切り換える場合、上記目標設定温度よりも上記室内温度が所定温度高くなると、上記運転モード切換部に対してドライ運転を許可する第２許可部のうちの少なくとも一方を備えたものである。
【００４１】
したがって、請求項１の発明の空気調和機によれば、冷房(または暖房)運転によって室内空気を十分に冷やす(または暖める)ことによって、ドライ運転に切り換わってもすぐに冷房(または暖房)運転に切り換わらないようにして、ドライ運転と冷房運転との間またはドライ運転と暖房運転との間で運転モードが煩雑に切り換わるのを防ぐことができる。したがって、快適性を向上することができる。
【００４２】
また、請求項２の発明の空気調和機は、圧縮機,室外熱交換器,第１減圧器,第１室内熱交換器,第２減圧器および第２室内熱交換器とを環状に接続して構成された冷媒回路を備え、ドライ運転が設定されている運転モードにおいて、空調運転(冷房運転または暖房運転)とドライ運転を切り換えて、室内温度が目標設定温度に基づく室内温度ゾーン内になるようにすると共に、運転モード切換部は、空調負荷が所定値よりも大きい空調運転においてドライ運転の指令があると、その指令から所定時間経過した後に、空調運転からドライ運転に切り換える一方、空調負荷が上記所定値よりも小さい空調運転においてドライ運転の指令があると、すぐに空調運転からドライ運転に切り換えるものである。
【００４３】
したがって、請求項２の発明の空気調和機によれば、冷房(または暖房)運転において空調負荷が所定値よりも大きいときは室内空気を十分に冷やして(または暖めて)からドライ運転に切り換えることによって、ドライ運転に切り換わっても、すぐに冷房(または暖房)運転に切り換わらないようにして、ドライ運転と冷房運転との間またはドライ運転と暖房運転との間で運転モードが煩雑に切り換わるのを防ぐことができる。したがって、快適性を向上することができる。
【００４４】
また、請求項３の発明の空気調和機は、請求項２の空気調和機において、外気温度に基づいて時間算出部により上記所定時間を算出するので、外気温度に対応する空調負荷の大小に応じて最適な所定時間で空調運転を遅延させた後、ドライ運転に切り換えることができる。したがって、空調負荷に応じたきめ細かい制御ができ、快適性をさらに向上できる。
【図面の簡単な説明】
【図１】  図１はこの発明の第１実施形態の空気調和機の回路図である。
【図２】  図２は上記空気調和機の制御装置の動作を説明するフローチャートである。
【図３】  図３は上記空気調和機の冷房,再熱ドライ,暖房における室内温度ゾーンの決定方法を説明する図である。
【図４】  図４は上記空気調和機の夏期,中間期,冬期における外気温度ゾーンの決定方法を説明する図である。
【図５】  図５は上記空気調和機の夏期,中間期,冬期における室内温度ゾーンの決定方法の一例を説明する図である。
【図６】  図６はこの発明の第２実施形態の空気調和機の回路図である。
【図７】  図７は上記空気調和機の制御装置の動作を説明するフローチャートである。
【図８】  図８は上記空気調和機の外気温度に対するタイマ値を示す図である。
【符号の説明】
１…圧縮機、２…四路弁、
３…室外熱交換器と、４…電動膨張弁、
５…第１室内熱交換器、６…室内用電動膨張弁、
７…室内熱交換器、８…アキュムレータ、
１０,２０…制御装置、１０a,２０a…運転モード切換部、
１０b…第１許可部、１０c…第２許可部、
２０b…時間算出部、２０c…タイマ。
【図１】
0004300624.tif 000002
【図２】
0004300624.tif 000003
【図３】
0004300624.tif 000004
【図４】
0004300624.tif 000005
【図５】
0004300624.tif 000006
【図６】
0004300624.tif 000007
【図７】
0004300624.tif 000008
【図８】
0004300624.tif 000009